(57)【要約】【課題】  充分な水量が得られるとともに勢いがあって頭髪の洗浄効果が高く、しかも水の跳ね返りを防止することができるシャワー水を散水するシャワーヘッドを提供する。【解決手段】  シャワーヘッド本体１の開口端に、直径０．１ｍｍ以上０．４ｍｍ以下の多数の散水孔３０を総開口面積が４０ｍｍ２以上１２０ｍｍ２以下となるように分散して開設してなる散水板３を取付けることで、充分な水量が得られるとともに勢いのある散水が得られ、しかも各散水が細いので水の跳ね返りが少なくなり、かつこの散水板の内側に、この散水板と間隔を存して調圧室６を形成する多数の整流孔４０を開口した整流板４を設置することで、綺麗に分流したシャワー水が得られる。【選択図】    図１
2006212611.tif 000002
【特許請求の範囲】
【請求項１】
シャワーヘッド本体の開口端に、直径０．１ｍｍ以上０．４ｍｍ以下の多数の散水孔を総開口面積が４０ｍｍ２以上１２０ｍｍ２以下となるように分散して開設してなる散水板を取付けたことを特徴とするシャワーヘッド。
【請求項２】
上記散水板における隣接する散水孔同士の離間寸法が、０．８ｍｍ以上３．０ｍｍ以下であることを特徴とする請求項１に記載のシャワーヘッド。
【請求項３】
散水板は金属薄板にて形成され、散水孔がフォトエッチング加工により形成されていることを特徴とする請求項１又は請求項２に記載のシャワーヘッド。
【請求項４】
散水板の内側に、この散水板と間隔を存して調圧室を形成する多数の整流孔を開口した整流板を設置したことを特徴とする請求項１ないし請求項３のいずれかに記載のシャワーヘッド。
【請求項５】
上記整流板は直径０．５ｍｍ以下の整流孔をこれら総開口面積が上記散水板の総開口面積より大きくなるように分散して形成してあることを特徴とする請求項４に記載のシャワーヘッド。
【請求項６】
散水板と整流板の間隔が１．０ｍｍ以上になっていることを特徴とする請求項４又は請求項５に記載のシャワーヘッド。
【発明の詳細な説明】
【技術分野】
【０００１】  本発明は、理容院や美容院などで使用されるシャワーヘッド、又は家庭の洗面化粧台などで使用されるシャワーヘッドに関する。
【背景技術】
【０００２】  理容院や美容院などでお客の頭髪を洗浄するシャワーヘッドは、洗い流しを素早く終えるため、勢いの強い湯水（流速が大：ジェット噴流）を多量に噴射するのが望ましい。しかし、ジェット噴流はお客の頭や洗面台に跳ね返り、周りが水浸しになってしまう。逆に勢いの弱い散水、すなわちじょうろ（如雨露）のような湯水を使うと、洗浄力が弱く、洗髪に時間が掛かるという不具合がある。
水跳ねを防止するため、特開２００２−７８６３２号公報に示されるような泡沫シャワーが使用されている。しかし泡沫シャワーは、予めシャワー水の中に空気を混入させて噴射するものであるから、洗浄に必要な水の絶対量が少なくなり、洗浄力は低下する。
また、泡沫シャワーは散水の中に気泡を混合させるため、シャワーヘッド内に絞り通路を形成して流速の大きな箇所を作り、ここを流れる湯水のサイフォン作用で外気を吸引する構造となっているので構造が複雑になる。また、散水の中に気泡が混ざるので、結果的に水量が少なくなるとともに、狭い面積で散水するので散布面積が小さく、大きな洗浄面が得られないといった不具合がある。
【特許文献】特開２００２−７８６３２号公報
【発明の開示】
【発明が解決しようとする課題】
【０００３】  この発明の目的は、ある程度の勢いをもつ多量の水を広い面積に亘り散水可能とし、洗浄能力が大であり、しかも湯水の跳ね返りを防止することができるシャワーヘッドを提供することにある。
【課題を解決するための手段】
【０００４】    本発明では、シャワーヘッド本体の開口端に、直径０．１ｍｍ以上０．４ｍｍ以下の多数の散水孔を総開口面積がシャワーホースの流路面積よりも小さな４０ｍｍ２以上１２０ｍｍ２以下となるように分散して開設してなる散水板を取付けたシャワーヘッドが提供される。
本発明の好ましい態様は、上記散水板における隣接する散水孔同士の離間寸法が、０．８ｍｍ以上３．０ｍｍ以下であることを特徴とするシャワーヘッドが提供される。
他の好ましい態様は、散水板は金属薄板にて形成され、散水孔がフォトエッチング加工により形成されていることを特徴とするシャワーヘッドが提供される。
そしてまた、他の好ましい態様は、シャワーヘッド本体における散水板の内側に、この散水板と間隔を存して調圧室を形成する多数の整流孔を開口した整流板を設置したことを特徴とするシャワーヘッドが提供される。
更に好ましい態様は、上記整流板は直径０．５ｍｍ以下の整流孔をこれら総開口面積が上記散水板の総開口面積より大きくなるようにして分散して形成してあることを特徴とするシャワーヘッドが提供される。
更にまた、他の好ましい態様は、散水板と整流板の間隔が１．０ｍｍ以上になっていることを特徴とするシャワーヘッドが提供される。
【発明の効果】
【０００５】  通常、シャワーヘッドから噴射されるシャワー水の量は、散水板に形成した散水孔の総開口面積に依存する。シャワーヘッド本体に水を供給するシャワーホースの外径は、一般的に１２〜１５ｍｍ程度であり、流路面積は８０〜１２０ｍｍ２程度である。これに対し、散水板の総開口面積を上記シャワーホースの流路面積よりも小さくして４０〜１２０ｍｍ２程度に設定すれば、シャワーホースの流路面積より小さくなったとしても洗浄に有効な充分の通水量が得られる。しかもこの流路面積を減じた分、高い流速が得られる。すなわち、散水板の総開口面積を４０〜１２０ｍｍ２に設定することにより、頭髪の洗浄に有効な水量が確保されるとともに、勢いのある水流が得られる。
加えて、散水孔は散水板の広い面に亘り分散して配置されていることにより、広い散布面が得られるので洗浄面積を大きく確保することができる。
したがって、洗浄に必要とする充分な水量が得られるとともに、勢いのある流速が得られ、かつ広い散水面積に散布することができるので、洗い流し効果の高いシャワー水が得られ、洗浄効果が高く、短時間に洗い流しを終えることができる。
この場合、散水板に大きな孔を開けると、噴射水はこの孔から集中して噴射するので流体エネルギーが大きく、よって散布面で水の跳ね返りが大きくなる。これに対し、通水量が同じであれば、小さな孔を多数開けた方が各散水孔より噴射される噴流が細くなり、しかも流速は大きな孔を開けた場合と同じであるから、流体エネルギーが小さくなる。このため散布面での跳ね返りが少なくなる。
さらにまた、散水板における最も外周部に形成した散水孔より放出される噴流は、その内側の噴流を取り囲んでカーテン状に噴射されるので、このウォータカーテンが内側の噴流によって跳ね返ろうとする水の飛散をガードし、このことからも水の跳ね返りを軽減することができる。
なお、散水孔の直径が０．１ｍｍ未満であると、散水孔より放出される水が細すぎて隣り合う水流が互いに接触して束になり易く、また０．４ｍｍを越えると、水のエネルギーが大きくて跳ね返り量が増える。
さらに、散水板の総開口面積を４０ｍｍ２未満にした場合は、散水板で流量が絞られすぎて流速が大きくなり、水の勢いが強くなって跳ね返りが増える。また、１２０ｍｍ２を越えると、逆に水の勢いが少なくなり、洗浄能力が低下する。【０００６】  本発明の好ましい態様において、散水板における隣接する散水孔同士の離間寸法を、０．８ｍｍ以上３．０ｍｍ以下に設定してあるので、隣り合う散水孔より放出される水の筋が散水板を出た近くで互いに接触せず、互いに独立して放出されることから綺麗なシャワー水が得られる。
散水孔の離間寸法を０．８ｍｍ未満にすると、隣り合う散水孔から放出された噴流が散水板を出た近くで互いに接触して太い束になり、水の跳ね返りが増すとともに見た目にも綺麗でなくなる。また、離間寸法が３．０ｍｍを超えると、散水孔を大きく開けなければならなくなり、１個の散水孔から放出される水流のエネルギーが大きくなって跳ね返りが多くなる。
また、他の好ましい態様において、散水板を金属薄板にて形成し、散水孔をフォトエッチング加工により形成すると、小さな孔を多数個分散して形成した散水板を容易に製造することができ、かつ散水孔の大きさおよび形状を高精度に形成することができる。【０００７】  一方、通常のシャワーヘッド本体内では、シャワーホースからシャワーヘッド本体に入った水の流れ方向と、散水板から出る水の流れ方向が異なるので、シャワーヘッド本体内で水の流れに乱れが生じる。このような乱れ水流は、散水孔から放出される水の方向きを、上記流れの乱れが影響して散水孔の軸線に沿わせず、軸線に対し傾斜した方向に噴射させることがある。このような場合、それぞれの散水板から放出される散水の１本１本の方向に乱れが生じ、隣接する散水孔から放出される水が互いに接触し合って束になってしまい、綺麗な分流となって噴射されなくなる。
これを防止するため、請求項４の発明においては、散水板の内側に間隔を存して整流板を設けたので、この整流板がシャワーヘッド本体内に生じる水流の乱れを修正して調圧室に水を送り込む。すなわち、シャワーホースを通じてシャワーヘッド本体に送り込まれた水は、整流板に形成した整流孔を通過することによりほぼ散水板の方向、つまりほぼ散水方向に向かう流れを発生させ、この水が調圧室に至る。調圧室においては一時的に水が滞留するので水の圧力分布が均等化し、この水が散水板から放出される。このため、散水孔を通過する水は散水孔の軸線に沿った流れになり、各散水孔から放出された水の放出方向がほぼ揃った向きになる。このため、全散水孔より放出される水流は、個々に独立して同じ方向に向かうので、シャワー水流が綺麗になる。この結果、頭髪に当たるとき、個々の水流が独立して多数に分かれてぶつかるので、洗浄性がよくなる。
そしてまた、整流板はフィルターとしても機能し、水道水に含まれるゴミや鉄錆などを捕獲して散水板の目詰まりを防止する。【０００８】  この場合の好ましい態様において、整流板は直径０．５ｍｍ以下の整流孔をこれら総開口面積が上記散水板の総開口面積より大きくなるようにして分散して形成したので、整流板を通過して調圧室に流れ込む水は多数に分かれて流れ込み、調圧室の圧力分布を均等化し易くなる。
整流孔の直径が０．５ｍｍを超えると、整流作用が弱くなるので好ましくは０．１ｍｍ以上０．４ｍｍ以下がよい。
整流板の総開口面積が散水板の総開口面積より小さいと、水流は整流板で絞られるので散水板から放出される散水に勢いがなくなり、各散水孔から放出された水が散水板を出た近くで流速が低いために互いに接触し合って太い流れとなって流れる。よって、綺麗に分流した散水が得られない。
他の好ましい態様において、散水板と整流板の間隔を１．０ｍｍ以上にしたので、調圧室内の水圧が均衡化する。この間隔が１．０ｍｍ未満であると、圧力分布が不均衡になり、散水孔から放出される水の方向が乱れる。
【発明を実施するための最良の形態】
【実施例】
【０００９】  以下に本発明の一実施例を図面にもとづき説明する。
図１はシャワーヘッドの断面図、図２は散水板と整流板の取付け状態を詳細に示す断面図、図３は散水板の正面図、図４は整流板の正面図である。
図１に示すシャワーヘッド本体１は合成樹脂にて形成されており、一端にシャワーホース２が連結されるとともに、他端の開口端部に散水板３が取り付けられている。この散水板３の内側に間隔を存して整流板４が取付けられており、散水板３と整流板４の間に調圧室６が形成されている。
図２に詳しく示す通り、散水板３は、ヘッド本体１に対して押えリング５によって脱着可能に取付けられているとともに、ゴムなどの環状パッキング材７により水密に保たれている。また、整流板４は上記散水板３との間で上記パッキング材７を挟んで取付けられており、このパッキング材７が散水板３と整流板４の間でスペーサーの役割を果たしており、これにより調圧室６が形成されている。パッキング材７は厚さ１．５ｍｍ程度であり、したがって散水板３と整流板４の間隔は１．５ｍｍ程度に設定されている。【００１０】  次に散水板３について図３にもとづき説明する。
本実施例の散水板３はステンレス製の薄板からなり、板厚０．４ｍｍ、直径４６ｍｍ程度の平坦な円盤をなしている。このようなステンレス製の散水板３には、多数の散水孔３０…が形成されている。各散水孔の直径は０．１ｍｍ以上で０．４ｍｍ以下であり、本実施例では、直径０．３１ｍｍの孔がフォトエッチング加工により総数６６１個形成されている。
散水板３における散水孔３０…の配置は、図３に示されるように分散して形成されている。すなわち、散水板３の中心位置には１個の散水孔３０が形成されているとともに、その周囲にはそれぞれ多数の散水孔３０…を環状に配列してなる多数の環状散水孔列が形成されている。各環状散水孔列は、散水板３の中心点に対し同心円をなしており、その円周上に間隔を存して散水孔３０が形成されている。
この場合の同心円の直径と、その周長、各同心円に開口された散水孔の数、円周上の隣接する散水孔相互のピッチを下記表１に示す。【００１１】
【表１】
2006212611.tif 000003
【００１２】  上記表１に示す散水孔の配置により、この散水板３においては直径２８ｍｍの円の中に孔径０．３１ｍｍの散水孔３０…が合計６６１個開口されており、これらの総開口面積は４９．８６≒５０．０ｍｍ２になっている。そしてそれぞれの環状孔列は直径２ｍｍのピッチで大きくなっているとともに、各円周上において隣接する散水孔３０同士が１ｍｍ前後のピッチで配置されているので、全体に亘り各散水孔３０は互いに１ｍｍ前後の間隔を存して、すなわちほぼ均等に分布して配置されている。【００１３】  一方、整流板４について図４にもとづき説明する。
本実施例の整流板４もステンレス製の薄板からなり、板厚０．３ｍｍ、直径４５ｍｍ程度の平坦な円盤をなしており、多数の整流孔４０…が形成されている。各整流孔の直径は０．５ｍｍ以下、好ましくは０．１ｍｍ以上で０．４ｍｍ以下であり、本実施例では、直径０．３８ｍｍの孔がフォトエッチング加工により総数７０４個形成されている。
整流板４における整流孔４０…の配置は、図４に示されるように分散して形成されている。すなわち、整流板４の中心位置には１個の整流孔４０…が形成されているとともに、その周囲にはそれぞれ多数の整流孔４０…を環状に配列してなる多数の環状散水孔列が形成されている。各環状散水孔列は、整流板４の中心点に対し同心円をなしており、その円周上に間隔を存して整流孔４０…が形成されている。
この場合の同心円の直径と、その周長、各同心円に開口された整流孔の数、円周上の隣接する整流孔相互のピッチを下記表２に示す。【００１４】
【表２】
2006212611.tif 000004
2006212611.tif 000005
【００１５】  上記表２より、整流板４においては直径２９ｍｍの円の中に孔径０．３８ｍｍの整流孔４０…が合計７０４個開口されており、これらの総開口面積は７９．８≒８０．０ｍｍ２になっている。そして各環状孔列は直径２ｍｍのピッチで大きくなっているとともに、各円周上において隣接する整流孔４０同士が１ｍｍ前後のピッチで配置されているので、全体に亘り各整流孔４０は互いに１ｍｍ前後の間隔を存し、すなわちほぼ均等に分布して配置されている。【００１６】  このような構造のシャワーヘッドについて、その作用を説明する。
シャワーヘッド本体１をシャワーホース２に連結して給水栓を開けると、水道水（又はお湯）がシャワーホース２を通じてシャワーヘッド本体１に供給され、この水は整流板４の整流孔４０…および調圧室６を通って散水板３に開口した散水孔３０…より噴射され、シャワー水となる。
この場合、本実施例の散水板３は、直径０．３１ｍｍの散水孔３０…を合計６６１個開けてあるので総開口面積は５０．００ｍｍ２となっており、この開口面積は、従来の一般的なシャワーヘッド（開口面積４０〜８０ｍｍ２）とほぼ同程度である。したがって、このシャワーヘッドは従来のシャワーヘッドとほぼ同等の単位時間当たりの通水量を確保することができる。そしてまた、この総開口面積であれば、各散水孔３０…より放出される水の勢い、すなわち流速も大きく確保できる。したがって、洗浄に必要とする充分な水量が得られるとともに、勢いのある流速が得られ、頭髪の洗浄効果が高くなる。
この場合、散水孔３０…は直径２８ｍｍの円の中に分散して開口してあり、従来の泡沫シャワーが直径１０〜１５ｍｍの散水穴より放出されるのに比べて、シャワー水の散布面積が大きい。したがって、洗浄面積を大きく確保することができ、この点でも洗浄作用が高くなる。
加えて、散水孔３０…は、直径０．３１ｍｍの細い孔であり、これを合計６６１個形成してあるため、各孔より放出される水は細い糸のようになる。このため、流体エネルギーが小さく、散布面に当たった場合、水の跳ね返りが少ない。したがって、たくさんの水を勢いよく噴射するにも拘わらず、水跳ねが少なくなり、お客の身体や洗面台の周りを水浸しにするなどの不具合は回避される。
そしてまた、散水孔３０…は、多数の環状列をなして多層に配置されているのでそれぞれの環状列がウォーターカーテンになり、内側の水流により水跳ねが生じたとしても、このウォーターカーテが水の跳ね返りを防止する。特に、最も外周部に形成した環状孔列の散水孔３０…は、内側の噴流により跳ね返ろうとする水の飛散をガードし、水の跳ね返りを有効に防止することができる。【００１７】  一方、シャワーヘッド本体１内ではシャワーホース２から入って来た水が流れを下向きに変えるため、水の流れに乱れを生じる。
これに対し、本実施例では散水板３の内側に間隔を存して整流板４を設けたので、この整流板４がシャワーヘッド本体１内に生じる水流の乱れを修正して調圧室６に水を送り込む。すなわち、整流板４には多数の整流孔４０…をほぼ均等に分散して形成してあるので、シャワーヘッド本体１内の水はこれら整流孔４０…を通過することによりこれら整流孔４０…で分流され、ほぼ散水板の方向、つまりほぼ散水方向に向かう流れを生じる。この水は調圧室６に至り、調圧室６においては一時的に水が滞留するので水の圧力分布が均等化し、この水が散水板３から放出されることになる。よって、散水孔３０…を通過する水は散水孔３０…の軸線に沿った流れになり、各散水孔３０…から放出された水の放出方向がほぼ揃った向きになる。このため、全散水孔３０…より放出される水流は、個々に独立して同じ方向に向かうので、シャワー水流が綺麗になる。
特に、通水量を３〜５リットル／分のごとく、少なく絞った場合でも、全散水孔３０…から放出される水流は、個々に独立して同じ方向に向かい、シャワー水流が綺麗になる。
そしてまた、整流板４はフィルターとしても機能し、水道水に含まれるゴミや鉄錆などを捕獲して散水板３の目詰まりを防止する。散水板３に開けた散水孔３０…は、孔径が小さいのでゴミなどが引っ掛かり、このため水の放出方向が乱れることがあるが、整流板４でゴミを濾過することにより、散水板３の目詰まりを防止することができる。整流板４にてゴミを捕獲するためには、整流孔４０…の大きさは、０．５ｍｍ以下、特に散水板３の散水孔３０…の大きさと比較して、０．４ｍｍ以下がよい。【００１８】  上記した実施例の散水板３および整流板４は、それぞれステンレス板からなり、フォトエッチング加工により製造される。このため、小さな孔を高密度に容易に成形することができるとともに、各孔の精度を高く加工することができる。このことから隣接する散水孔の間隔を小さなピッチにすることもでき、フォトエッチング加工にて製造するのが有利である。
なお、本発明は、理容室や美容院で使用されるシャワーヘッドに用いて有効であり、かつ家庭の洗面化粧台に設置されるシャワーヘッドにも有効である。
【産業上の利用可能性】
【００１９】  以上説明した通り本発明によれば、理容院や美容院にて使用する場合、必要に見合う量の湯水が勢いよく散水されるので頭髪の洗浄効果が大きく、しかしながら水跳ねが少ないので周囲を水浸しにすることがなく、洗浄を短時間に終えることができ、仕事効率が向上する。
【図面の簡単な説明】
【００２０】
【図１】      発明の一実施例を示し、シャワーヘッドの断面図
【図２】      散水板と整流板の位置関係を示す断面図
【図３】      散水板における散水孔の配置を示す正面図
【図４】      整流板における整流孔の配置を示す正面図
【符号の説明】
【００２１】  １…シャワーヘッド本体
３…散水板
３０…散水孔
４…整流板
４０…整流孔
６…調圧室
７…パッキング材
【図１】
2006212611.tif 000006
【図２】
2006212611.tif 000007
【図３】
2006212611.tif 000008
【図４】
2006212611.tif 000009